(57)【要約】      （修正有）【課題】連続した注水を確保し、注水を緩やかに行なう灌水装置を提供する。【解決手段】液体を入れる容器１に先細テーパに構成したノズル管４を取付け、このノズル管４を、土壌に突き刺すことにより、これに穿設した注水孔５から土壌に注水するようにした灌水装置。前記ノズル管４のうち前記注水孔５が開口する部分に、透水性の多孔質体６を、当該多孔質体にて注水孔を塞ぐように、脱落不能に装着する。【選択図】図１
0003167106.tif 000002
【実用新案登録請求の範囲】
【請求項１】
土壌に灌水する液体を入れる容器に，土壌に突き刺すように先細テーパに構成したノズル管を設け，このノズル管に土壌への注水孔を穿設して成る灌水装置において，
前記ノズル管のうち前記注水孔が開口する部分に，透水性の多孔質体を，当該多孔質体にて注水孔を塞ぐように，脱落不能に装着したことを特徴とする植物の灌水装置。
【請求項２】
前記請求項１の記載において，前記多孔質体は，繊維体であることを特徴とする植物の灌水装置。
【請求項３】
前記請求項１又は２の記載において，前記多孔質体は，前記注水孔内に挿通するように装着されていることを特徴とする植物の灌水装置。
【請求項４】
前記請求項１又は２の記載において，前記多孔質体は紐状であって，前記ノズル管の外周に，少なくとも略半周又は半周以上にわたって巻き付けられていることを特徴とする植物の灌水装置。
【請求項５】
請求項１又は２の記載において，前記多孔質体は紐状であって，前記注水孔内に挿通した状態で，前記ノズル管の外周に，少なくとも略半周又は半周以上にわたって巻き付けられていることを特徴とする植物の灌水装置。
【請求項６】
前記請求項１〜５のいずれかの記載において，前記容器には，当該容器内への液体の注ぎ口が，上向きに開口するように設けられていることを特徴とする植物の灌水装置。
【請求項７】
前記請求項１〜６のいずれかの記載において，前記ノズル管は，前記容器に対して着脱可能に取付けられていることを特徴とする植物の灌水装置。
【考案の詳細な説明】
【技術分野】
【０００１】
本考案は，植物を植えた土壌に水又は液肥等の液体を灌水する場合に，前記土壌に突き刺して使用する灌水装置に関する。
【背景技術】
【０００２】
従来，この種の灌水装置は，例えば，特許文献１，２等に記載されているように，水又は液肥等の液体を入れる容器に，先細のテーパに構成したノズル管を取付け，このノズル管を，土壌に突き刺すことにより，前記容器に入れた液体を，このノズル管に穿設した注水孔から土壌中に注水するという構成であった。
【先行技術文献】
【特許文献】
【０００３】
【特許文献１】実用新案登録番号第３０３２５５２号公報
【特許文献２】特開２００２−１９９８２２号公報
【考案の概要】
【考案が解決しようとする課題】
【０００４】
しかし，前記した従来の灌水装置は，そのテーパ状のノズル管を土壌に突き刺したとき，このノズル管に穿設の注水孔は，これに土壌が直接に接触して，土壌にて塞がれた状態になるから，前記注水孔の孔径を，土壌への注水速度を緩やかにすることのために，小径にすると，土壌への注水が，最初から不能になったり，注水の途中で途絶えたりするという問題を招来することになる。
【０００５】
さりとて，この問題を回避するために，前記注水孔の孔径を大きくすれば，この注水孔からの注水の速度が速くなり過ぎるという問題を招来することになる。
【０００６】
本考案は，これらの問題を解消した灌水装置を提供することを技術的課題としている。
【課題を解決するための手段】
【０００７】
この技術的課題を達成するため請求項１は，
「土壌に灌水する液体を入れる容器に，土壌に突き刺すように先細テーパに構成したノズル管を取付け，このノズル管に土壌への注水孔を穿設して成る灌水装置において，
前記ノズル管のうち前記注水孔が開口する部分に，透水性の多孔質体を，当該多孔質体にて注水孔を塞ぐように，脱落不能に装着した。」
ことを特徴としている。
【０００８】
請求項２は，
「前記請求項１の記載において，前記多孔質体は，繊維体である。」
ことを特徴としている。
【０００９】
請求項３は，
「前記請求項１又は２の記載において，前記多孔質体は，前記注水孔内に挿通するように装着されている。」
ことを特徴としている。
【００１０】
請求項４は，
「前記請求項１又は２の記載において，前記多孔質体は紐状であって，前記ノズル管の外周に，少なくとも略半周又は半周以上にわたって巻き付けられている。」
ことを特徴としている。
【００１１】
請求項５は，
「請求項１又は２の記載において，前記多孔質体は紐状であって，前記注水孔内に挿通した状態で，前記ノズル管の外周に，少なくとも略半周又は半周以上にわたって巻き付けられている。」
ことを特徴としている。
【００１２】
請求項６は，
「前記請求項１〜５のいずれかの記載において，前記容器には，当該容器内への液体の注ぎ口が，上向きに開口するように設けられている。」
ことを特徴としている。
【００１３】
請求項７は，
「前記請求項１〜６のいずれかの記載において，前記ノズル管は，前記容器に対して着脱可能に取付けられている。」
ことを特徴としている。
【考案の効果】
【００１４】
請求項１によると，ノズル管における注水孔は，多孔質体にて塞がれていることにより，前記ノズル管を土壌に突き刺したとき，土壌には，前記多孔質体が接触するから，前記注水孔が土壌によって塞がれた状態になることを回避できる。
【００１５】
これにより，容器内の液体は，ノズル管における注水孔から前記多孔質体を浸透して土壌に注水されることになるから，土壌への注水が，最初から不能になったり，注水の途中で途絶えたりすることを確実に防止できるとともに，土壌への注水を，徐々にゆっくり行なうことができる。
【００１６】
この場合，前記多孔質体を，請求項２に記載したように，繊維体にすることにより，土壌への注水を，前記繊維体の毛細管によって行なわれることになるから，土壌への注水をより遅く，緩やかに行なうことができる。
【００１７】
また，請求項３，４又は５によると，前記多孔質体を前記ノズル管に脱落不能に装着することが，簡単に，且つ，確実，強固にできる利点があり，特に，請求項３又は５によると，前記多孔質体が前記ノズル管に対してずれ動くを確実に防止できる。
【００１８】
更にまた，請求項６によると，本発明の灌水装置を土壌に突き刺したままの状態で，水又は液肥等の液体を，注ぎ口から適宜補給することができる。
【００１９】
請求項７によると，前記容器の前記パイプを別々に製作できるほか，前記ノズル管を，新しいものに交換したり，或いは，土壌への灌水速度の異なるものに交換したりすることができるほか，前記容器を，新しいものに交換したり，或いは，内容積の異なるものに交換したりすることができる。
【図面の簡単な説明】
【００２０】
【図１】本考案灌水装置における第１の実施の形態を示す縦断正面図である。
【図２】図１のII−II視拡大断面図である。
【図３】分解した状態を示す図である。
【図４】本考案の灌水装置の使用状態を示す図である。
【図５】第２の実施の形態を示す図である。
【図６】第３の実施の形態を示す図である。
【図７】第４の実施の形態を示す図である。
【図８】第５の実施の形態を示す図である。
【図９】第６の実施の形態を示す図である。
【考案を実施するための形態】
【００２１】
以下，本考案の実施の形態を，図１〜図８の図面について説明する。
【００２２】
これらの図において，符号１は，合成樹脂で中空の円筒形に形成した容器を示す。
【００２３】
この容器１の一端（上端）は，当該容器１内に水又は液肥等の液体を注入するための上向きの注ぎ口２とするように，開口されており，前記容器１の他端（下端）には，ねじソケット部３が一体に設けられている。
【００２４】
符号４は，合成樹脂にて先細のテーパに構成したノズル管を示し，このノズル管４は，前記容器１に対して，その他端のねじソケット部３に螺合するように，着脱可能に取付けられている。
【００２５】
前記ノズル管４には，その外周面に開口する注水孔５が，少なくとも一つ以上穿設されている一方，前記ノズル管４の外周面のうち前記注水孔５が開口する部分には，透水性の多孔質体６を，例えば接着剤等によって，脱落不能に装着することにより，この多孔質体６にて前記注水孔５を塞ぐように構成している。
【００２６】
前記透水性の多孔質体６としては，例えば，連続気泡のスポンジを使用することができるほか，繊維の織物，編み物又は不織布とか，繊維を使用した紐状体を使用することができる。
【００２７】
前記した構成の灌水装置は，その容器１に設けた先細テーパのノズル管４を，図４に示すように，植物７を植えた土壌８に突き刺すことによって使用される。
【００２８】
前記ノズル管４を土壌８に突き刺したとき，土壌８には，前記ノズル管４にその注水孔５を塞ぐように装着した多孔質体６が接触するから，前記ノズル管４における注水孔５が土壌８によって塞がれた状態になることを回避できる。
【００２９】
そこで，前記容器１内に，水又は液肥等の液体をその注ぎ口２から注ぎ込むか，前記容器１内に予め液体を入れておくことにより，前記容器１内の液体は，前記ノズル管４における注水孔５から前記多孔質体６を浸透して土壌８に注水されることになるから，土壌８への注水が，最初から不能になったり，注水の途中で途絶えたりすることを確実に防止できるとともに，土壌８への注水を，徐々にゆっくり行なうことができる。
【００３０】
この場合，前記多孔質体６を，繊維の織物，編み物又は不織布とか，繊維紐等による繊維体にした場合，土壌８への注水は，前記繊維体の毛細管によって，より遅い速度で行なわれることになる。
【００３１】
図示した第１の実施形態においては，前記多孔質体６を紐状にして，この紐状の多孔質体６を，図２に示すように，前記ノズル管４の外周に巻き付けるという構成にしている。
【００３２】
また，第２の実施の形態においては，図５に示すように，前記紐状の多孔質体６を，前記ノズル管４における注水孔５内に，これを塞ぐように貫通して挿通するという構成にでき，これによると，前記多孔質体６を，前記ノズル管４に対して，その軸線方向にずれ動くことなく装着することができる。
【００３３】
特に，前記紐状の多孔質体６の前記ノズル管４への巻き付け装着に際しては，この多孔質体６による紐体を，図６に示す第３の実施形態のように，二つの注水孔５内にこれを貫通するように挿通し，次いで，前記ノズル管４の外周のうち少なくとも略半周にわたって巻き付けるか，図６に二点鎖線で示すように，全周等のように半周以上にわたって巻き付けたのち，その両端を結び合わせるという構成にする。
【００３４】
また，図７に示す第４の実施形態のように，前記ノズル管４の外周に凹み溝９を設けて，この凹み溝９内に，少なくとも半周か全周等のように略半周以上にわたって巻き付けるか，或いは，図８に示す第５の実施形態のように，前記ノズル管４の外周に二本の突起状１０を設けて，この両突起状１０の間の部分に，少なくとも半周か全周等のように略半周以上にわたって巻き付けるように構成することができる。
【００３５】
また，多孔質体６による紐体を，図９に示す第６の実施形態のように，二つの注水孔５内にこれを貫通するように挿通し，次いで，前記ノズル管４の軸線方向から見て，当該ノズル管４の外周における全周にわたって８の字状に巻き付けた構成にして装着することができる。
【００３６】
これらの構成にすることにより，前記ノズル管４の外周に多孔質体６を脱落不能に装着することが，簡単に，且つ，確実にできる。
【００３７】
これら各実施の形態の説明より明らかなとおり，各請求項における「巻き付け」には，前記ノズル管４における外周のうち少なくとも略半周にわたって巻き付ける場合と，全周等のように半周以上にわたって巻き付ける場合との両方が存在する。
【００３８】
そして，前記容器１内における液体がなくなれば，これにその液体を，当該容器１に設けた上向きの注ぎ口２から注ぎ込むように補給するのである。
【００３９】
また，図示の実施の形態においては，前記ノズル管４を容器１に介して着脱可能に取付ける構成にしているので，前記ノズル管４を，損傷した場合に新しいものに交換したり，その注水孔５の内径等の設定によって土壌への灌水速度の異なるものに交換したりすることができるほか，前記容器１を，損傷した場合に新しいものに交換したり，或いは，内容積の異なるものに交換したりすることができる。
【符号の説明】
【００４０】
１              容器
２              注ぎ口
４              ノズル管
５              注水孔
６              多孔質体
７              植物
８              土壌
【図１】
0003167106.tif 000003
【図２】
0003167106.tif 000004
【図３】
0003167106.tif 000005
【図４】
0003167106.tif 000006
【図５】
0003167106.tif 000007
【図６】
0003167106.tif 000008
【図７】
0003167106.tif 000009
【図８】
0003167106.tif 000010
【図９】
0003167106.tif 000011